(57)【要約】【課題】被験者の血圧に関連する情報を表示画面に表示する血圧関連情報表示装置であって、被験者が夜間高血圧（広義）に関してどのタイプに属するかをユーザが直感的に分かるように表示できるものを提供すること。【解決手段】  被験者について、或る期間内に、少なくとも朝測定された早朝血圧データと夜間測定された夜間血圧データとを含む血圧データを取得する。表示画面２４１上に、早朝血圧と夜間血圧のうちの一方を横軸、他方を縦軸に設定して、早朝血圧データと夜間血圧データとによって定まる点Ａ１，Ａ２，Ａ３をグラフ表示する。【選択図】図９
2015216970.tif 000002
【特許請求の範囲】
【請求項１】
被験者の血圧に関連する情報を表示画面に表示する血圧関連情報表示装置であって、
上記被験者について、或る期間内に、少なくとも朝測定された早朝血圧データと夜間測定された夜間血圧データとを含む血圧データを取得する血圧データ取得部と、
上記表示画面上に、早朝血圧と夜間血圧のうちの一方を横軸、他方を縦軸に設定して、上記早朝血圧データと上記夜間血圧データとによって定まる点をグラフ表示する制御を行う表示制御部と
を備えた血圧関連情報表示装置。
【請求項２】
請求項１に記載の血圧関連情報表示装置において、
上記表示制御部は、上記表示画面上に早朝高血圧であるか否かの基準値を表す第１の基準線と夜間高血圧であるか否かの基準値を表す第２の基準線とをグラフ表示して、上記表示画面の上記点が、夜間には高血圧を示すが早朝には高血圧を示さない夜間高血圧タイプと、夜間には高血圧を示さないが早朝には高血圧を示す早朝高血圧タイプと、夜間にも早朝にも高血圧を示す夜間・早朝高血圧タイプと、夜間にも早朝にも高血圧を示さない正常タイプとのうちいずれに分類されるかを表すことを特徴とする血圧関連情報表示装置。
【請求項３】
請求項１または２に記載の血圧関連情報表示装置において、
上記血圧データ取得部は、上記期間内で、それぞれ複数回測定された上記早朝血圧データと上記夜間血圧データとを含む血圧データを取得し、
上記被験者の上記早朝血圧データ、上記夜間血圧データにそれぞれ統計処理を施して、上記期間内の平均値を表す早朝血圧データ平均値、夜間血圧データ平均値をそれぞれ求める演算部を備え、
上記表示制御部は、上記表示画面上に、早朝血圧と夜間血圧のうちの一方を横軸、他方を縦軸にとって、上記早朝血圧データ平均値と上記夜間血圧データ平均値とによって定まる点をグラフ表示する制御を行うことを特徴とする血圧関連情報表示装置。
【請求項４】
請求項３に記載の血圧関連情報表示装置において、
上記血圧データ取得部は、複数の異なる期間について順次、それぞれ複数回測定された上記早朝血圧データと上記夜間血圧データとを含む血圧データを取得し、
上記演算部は、上記期間毎の上記早朝血圧データ、上記夜間血圧データにそれぞれ統計処理を施して、上記期間毎にその期間の平均値を表す早朝血圧データ平均値、夜間血圧データ平均値をそれぞれ求め、
上記表示制御部は、上記表示画面上に、上記期間毎の上記早朝血圧データ平均値と上記夜間血圧データ平均値とによって定まる点を同時にグラフ表示するとともに、上記期間毎の上記点にそれぞれ期間順を表す符号を付して表示する制御を行うことを特徴とする血圧関連情報表示装置。
【請求項５】
請求項１から４までのいずれか一つに記載の血圧関連情報表示装置において、
上記表示制御部は、上記早朝血圧を横軸、上記夜間血圧を縦軸に設定することを特徴とする血圧関連情報表示装置。
【請求項６】
被験者の血圧に関連する情報を表示画面に表示する方法をコンピュータに実行させるためのプログラムであって、
上記方法は、
上記被験者について、或る期間内に、少なくとも朝測定された早朝血圧データと夜間測定された夜間血圧データとを含む血圧データを取得する第１ステップと、
上記表示画面上に、早朝血圧と夜間血圧のうちの一方を横軸、他方を縦軸に設定して、上記早朝血圧データと上記夜間血圧データとによって定まる点をグラフ表示する第２ステップとを有するプログラム。
【発明の詳細な説明】
【技術分野】
【０００１】
この発明は、被験者の血圧に関連する情報を表示画面に表示する血圧関連情報表示装置に関する。
【０００２】
また、この発明は、被験者の血圧に関連する情報を表示画面に表示する方法をコンピュータに実行させるためのプログラムに関する。
【背景技術】
【０００３】
従来、被験者の血圧に関連する情報を表示する装置としては、特許文献１（特開２００４−２６１４５２号公報）に開示されているように、測定された血圧値と、測定時刻情報や測定条件を対応づけてメモリに格納し、朝時間帯と夕方時間帯などの特定の時間帯に複数回測定された血圧値を平均した平均値をそれぞれ算出し、その算出結果に基づいてリスク値を算出、表示する血圧計が知られている。これにより、血圧値等の生体情報に基づいて、被験者に対する健康指導が支援される。
【先行技術文献】
【特許文献】
【０００４】
【特許文献１】特開２００４−２６１４５２号公報
【発明の概要】
【発明が解決しようとする課題】
【０００５】
ところで、近年、高血圧の治療のために夜間血圧を測定する重要性が注目されている。夜間高血圧（広義）のタイプには、夜間には高血圧を示すが早朝には高血圧を示さない夜間高血圧タイプ（狭義）と、夜間には高血圧を示さないが早朝には高血圧を示す早朝高血圧（モーニングサージ）タイプと、夜間にも早朝にも高血圧を示す夜間・早朝高血圧タイプとがあることが知られている。これらのタイプが異なれば、その症状の原因が異なるため、治療法も異なる。したがって、例えば医師が操作する病院端末の表示画面上で、患者がどのタイプに属するかを、直感的に把握できれば便利であろう。
【０００６】
しかしながら、本発明者が知る限り、従来は、患者（被験者）が夜間高血圧（広義）に関してどのタイプに属するかを、ユーザ（例えば医師、看護師などの医療従事者を含む。以下同様。）が直感的に分かるように表示する装置は存在していなかった。
【０００７】
そこで、この発明の課題は、被験者の血圧に関連する情報を表示画面に表示する血圧関連情報表示装置であって、被験者が夜間高血圧（広義）に関してどのタイプに属するかをユーザが直感的に分かるように表示できるものを提供することにある。
【０００８】
また、この発明の課題は、被験者の血圧に関連する情報を表示画面に表示する方法をコンピュータに実行させるためのプログラムであって、被験者が夜間高血圧（広義）に関してどのタイプに属するかをユーザが直感的に分かるように表示できるものを提供することにある。
【課題を解決するための手段】
【０００９】
上記課題を解決するため、この発明の血圧関連情報表示装置は、
被験者の血圧に関連する情報を表示画面に表示する血圧関連情報表示装置であって、
上記被験者について、或る期間内に、少なくとも朝測定された早朝血圧データと夜間測定された夜間血圧データとを含む血圧データを取得する血圧データ取得部と、
上記表示画面上に、早朝血圧と夜間血圧のうちの一方を横軸、他方を縦軸に設定して、上記早朝血圧データと上記夜間血圧データとによって定まる点をグラフ表示する制御を行う表示制御部と
を備える。
【００１０】
上記「期間」は、被験者の血圧状態を把握するための単位となる期間を指す。例えば、上記被験者の病院での前回受診時から今回受診時までの期間を指す。
【００１１】
この発明の血圧関連情報表示装置では、血圧データ取得部が、上記被験者について、或る期間内に、少なくとも朝測定された早朝血圧データと夜間測定された夜間血圧データとを含む血圧データを取得する。表示制御部は、表示画面上に、早朝血圧と夜間血圧のうちの一方を横軸、他方を縦軸に設定して、上記早朝血圧データと上記夜間血圧データとによって定まる点をグラフ表示する。したがって、ユーザは、上記表示画面上にグラフ表示された点を見ることによって、被験者が夜間高血圧（広義）に関してどのタイプに属するか、すなわち、夜間高血圧タイプ（狭義）、早朝高血圧（モーニングサージ）タイプ、夜間・早朝高血圧タイプのいずれに属するかを、直感的に把握することができる。したがって、ユーザは、被験者のタイプに応じた治療方針を迅速に立てることが可能になる。
【００１２】
一実施形態の血圧関連情報表示装置では、上記表示制御部は、上記表示画面上に早朝高血圧であるか否かの基準値を表す第１の基準線と夜間高血圧であるか否かの基準値を表す第２の基準線とをグラフ表示して、上記表示画面の上記点が、夜間には高血圧を示すが早朝には高血圧を示さない夜間高血圧タイプと、夜間には高血圧を示さないが早朝には高血圧を示す早朝高血圧タイプと、夜間にも早朝にも高血圧を示す夜間・早朝高血圧タイプと、夜間にも早朝にも高血圧を示さない正常タイプとのうちいずれに分類されるかを表すことを特徴とする。
【００１３】
この一実施形態の血圧関連情報表示装置によれば、上記横軸と上記縦軸とで定まる領域が、上記第１の基準線と上記第２の基準線とによって、上記夜間高血圧タイプ（狭義）、上記早朝高血圧（モーニングサージ）タイプ、上記夜間・早朝高血圧タイプ、上記正常タイプに応じた４つの部分領域に区画される。そして、上記早朝血圧データと上記夜間血圧データとによって定まる点は、上記４つの部分領域のいずれかに入る。したがって、ユーザは、被験者が夜間高血圧（広義）に関してどのタイプに属するかについて、さらに直感的に、かつ正確に把握することができる。
【００１４】
一実施形態の血圧関連情報表示装置では、
上記血圧データ取得部は、上記期間内で、それぞれ複数回測定された上記早朝血圧データと上記夜間血圧データとを含む血圧データを取得し、
上記被験者の上記早朝血圧データ、上記夜間血圧データにそれぞれ統計処理を施して、上記期間内の平均値を表す早朝血圧データ平均値、夜間血圧データ平均値をそれぞれ求める演算部を備え、
上記表示制御部は、上記表示画面上に、早朝血圧と夜間血圧のうちの一方を横軸、他方を縦軸にとって、上記早朝血圧データ平均値と上記夜間血圧データ平均値とによって定まる点をグラフ表示する制御を行うことを特徴とする。
【００１５】
この一実施形態の血圧関連情報表示装置では、上記血圧データ取得部は、上記期間内で、それぞれ複数回測定された上記早朝血圧データと上記夜間血圧データとを含む血圧データを取得する。演算部は、上記被験者の上記早朝血圧データ、上記夜間血圧データにそれぞれ統計処理を施して、上記期間内の平均値を表す早朝血圧データ平均値、夜間血圧データ平均値をそれぞれ求める。上記表示制御部は、上記表示画面上に、早朝血圧と夜間血圧のうちの一方を横軸、他方を縦軸にとって、上記早朝血圧データ平均値と上記夜間血圧データ平均値とによって定まる点をグラフ表示する制御を行う。この血圧関連情報表示装置では、上記表示画面上の上記点は、上記期間内の早朝血圧データ平均値および夜間血圧データ平均値を表すものとなる。したがって、表示内容の信頼度が高まる。
【００１６】
一実施形態の血圧関連情報表示装置では、
上記血圧データ取得部は、複数の異なる期間について順次、それぞれ複数回測定された上記早朝血圧データと上記夜間血圧データとを含む血圧データを取得し、
上記演算部は、上記期間毎の上記早朝血圧データ、上記夜間血圧データにそれぞれ統計処理を施して、上記期間毎にその期間の平均値を表す早朝血圧データ平均値、夜間血圧データ平均値をそれぞれ求め、
上記表示制御部は、上記表示画面上に、上記期間毎の上記早朝血圧データ平均値と上記夜間血圧データ平均値とによって定まる点を同時にグラフ表示するとともに、上記期間毎の上記点にそれぞれ期間順を表す符号を付して表示する制御を行うことを特徴とする。
【００１７】
「符号」とは、番号であってもよいし、文字や、記号であってもよい。
【００１８】
この一実施形態の血圧関連情報表示装置では、上記血圧データ取得部は、複数の異なる期間について順次、それぞれ複数回測定された上記早朝血圧データと上記夜間血圧データとを含む血圧データを取得する。上記演算部は、上記期間毎の上記早朝血圧データ、上記夜間血圧データにそれぞれ統計処理を施して、上記期間毎にその期間の平均値を表す早朝血圧データ平均値、夜間血圧データ平均値をそれぞれ求める。上記表示制御部は、上記表示画面上に、上記期間毎の上記早朝血圧データ平均値と上記夜間血圧データ平均値とによって定まる点を同時にグラフ表示するとともに、上記期間毎の上記点にそれぞれ期間順を表す符号を付して表示する制御を行う。この血圧関連情報表示装置では、上記表示画面上に、上記期間毎の上記早朝血圧データ平均値と上記夜間血圧データ平均値とによって定まる点が同時にグラフ表示される。しかも、上記期間毎の上記点にそれぞれ期間順を表す符号が付されて表示される。したがって、ユーザは、被験者の血圧状態の上記期間毎の推移を直感的に把握することができる。したがって、ユーザは、被験者の血圧状態（症状）の上記期間毎の推移に応じてこれまでの治療の効果を迅速に評価でき、その評価に基づいて今後の治療方針を適切に立てることが容易になる。
【００１９】
一実施形態の血圧関連情報表示装置では、上記表示制御部は、上記早朝血圧を横軸、上記夜間血圧を縦軸に設定することを特徴とする。
【００２０】
この一実施形態の血圧関連情報表示装置では、上記早朝血圧を横軸、上記夜間血圧を縦軸に設定する。一般的なグラフでは縦軸が重視される傾向があることから、この血圧関連情報表示装置では、夜間血圧が重視され得る。
【００２１】
この発明のプログラムは、
被験者の血圧に関連する情報を表示画面に表示する方法をコンピュータに実行させるためのプログラムであって、
上記方法は、
上記被験者について、或る期間内に、少なくとも朝測定された早朝血圧データと夜間測定された夜間血圧データとを含む血圧データを取得する第１ステップと、
上記表示画面上に、早朝血圧と夜間血圧のうちの一方を横軸、他方を縦軸に設定して、上記早朝血圧データと上記夜間血圧データとによって定まる点をグラフ表示する第２ステップとを有するプログラム。
【００２２】
この発明のプログラムによれば、次のように、被験者の血圧に関連する情報を表示画面に表示する方法をコンピュータに実行させることができる。すなわち、第１ステップでは、被験者について、或る期間内に、少なくとも朝測定された早朝血圧データと夜間測定された夜間血圧データとを含む血圧データを取得する。第２ステップでは、上記表示画面上に、早朝血圧と夜間血圧のうちの一方を横軸、他方を縦軸に設定して、上記早朝血圧データと上記夜間血圧データとによって定まる点をグラフ表示する。したがって、ユーザは、上記表示画面上にグラフ表示された点を見ることによって、被験者が夜間高血圧（広義）に関してどのタイプに属するか、すなわち、夜間高血圧タイプ（狭義）、早朝高血圧（モーニングサージ）タイプ、夜間・早朝高血圧タイプのいずれに属するかを、直感的に把握することができる。したがって、ユーザは、被験者のタイプに応じた治療方針を迅速に立てることが可能になる。
【発明の効果】
【００２３】
以上より明らかなように、この発明の血圧関連情報表示装置およびプログラムによれば、被験者がどの高血圧タイプに属するかをユーザが直感的に分かるように表示できる。
【図面の簡単な説明】
【００２４】
【図１】この発明の血圧関連情報表示装置をネットワーク上のシステムとして構成した一実施形態を示すブロック図である。
【図２】上記システムに含まれた病院端末の構成を示すブロック図である。
【図３】上記システムに含まれたサーバの構成を示すブロック図である。
【図４】上記システムに含まれた血圧計の構成を示すブロック図である。
【図５】上記サーバの概略的な動作フローを示す図である。
【図６】上記病院端末の概略的な動作フローを示す図である。
【図７】血圧評価項目リストにおける「血圧値の推移（９０日表示）」の項目が選択された場合に、病院端末の表示画面上に表示される画像を例示する図である。
【図８】上記血圧評価項目リストにおける「期間平均値（前回／今回比較）」の項目が選択された場合に、病院端末の表示部の表示画面上に表示される画像を例示する図である。
【図９】上記血圧評価項目リストにおける「夜間高血圧のタイプ」の項目が選択された場合に、病院端末の表示部の表示画面上に表示される画像を例示する図である。
【図１０】上記血圧評価項目リストにおける「夜間高血圧のタイプ」の項目が選択された場合に、病院端末の表示部の表示画面上に表示される別の画像を例示する図である。
【図１１】上記血圧評価項目リストにおける「夜間高血圧のタイプ」の項目が選択された場合に、病院端末の表示部の表示画面上に表示されるさらに別の画像を例示する図である。
【図１２】上記血圧評価項目リストにおける「夜間高血圧のタイプ」の項目が選択された場合に、病院端末の表示部の表示画面上に表示されるさらに別の画像を例示する図である。
【図１３】上記病院端末に上記サーバの機能を組み込んだ変形例での、上記病院端末の概略的な動作フローを示す図である。
【発明を実施するための形態】
【００２５】
以下、この発明の実施の形態を、図面を参照しながら詳細に説明する。
【００２６】
図１は、この発明の血圧関連情報表示装置をネットワーク上の一実施形態のシステム（全体を符号１００で示す。）として構成した例を示している。このシステム１００は、表示画面としての表示部２４０を有する病院端末２００と、サーバ３００と、血圧計４００とを含んでいる。病院端末２００とサーバ３００と血圧計４００とは、ネットワーク９００を介して互いに通信可能になっている。
【００２７】
図２に示すように、病院端末２００は、本体２００Ｍと、この本体２００Ｍに搭載された、制御部２１０と、メモリ２２０と、操作部２３０と、表示画面としての表示部２４０と、通信部２９０とを含む。この病院端末２００は、市販のノート型パーソナルコンピュータからなり、後述の処理を行わせるようにアプリケーションソフトウェア（コンピュータプログラム）をインストールしたものであり、サーバ３００にアクセスできるようになっている。
【００２８】
制御部２１０は、ＣＰＵ（Central Processing Unit；中央演算処理装置）およびその補助回路を含み、病院端末２００の各部を制御し、メモリ２２０に記憶されたプログラムおよびデータに従って後述の処理を実行する。すなわち、操作部２３０、および、通信部２９０から入力されたデータを処理し、処理したデータを、メモリ２２０に記憶させたり、表示部２４０で表示させたり、通信部２９０から出力させたりする。
【００２９】
メモリ２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、メモリ２２０の記憶領域を補助するための補助記憶装置の記憶媒体として、半導体メモリ（メモリカード、ＳＳＤ（Solid State Drive））などが用いられてもよい。
【００３０】
操作部２３０は、この例では、キーボードおよびマウスで構成され、ユーザ（この例では医師とする。）による操作を示す操作信号を制御部２１０に入力する。また、操作部２３０は、キーボードおよびマウスに替えて、または、加えて、タッチパネルなどの他の操作デバイスで構成されるようにしてもよい。
【００３１】
表示部２４０は、表示画面（例えば、ＬＣＤ（Liquid Crystal Display）またはＥＬ（Electroluminescence）ディスプレイなど）を含む。表示部２４０は、制御部２１０によって制御されて、所定の映像を表示画面に表示させる。
【００３２】
通信部２９０は、制御部２１０からの情報をネットワーク９００を介してサーバ３００へ送信する。
【００３３】
図３に示すように、サーバ３００は、制御部３１０と、記憶部３２０と、操作部３３０と、表示部３４０と、ネットワーク通信部３９０とを含む。このサーバ３００は、汎用のコンピュータ装置に、後述の処理を行わせるようにプログラム（ソフトウェア）をインストールしたものである。
【００３４】
制御部３１０は、ＣＰＵおよびその補助回路を含み、サーバ３００の各部を制御し、記憶部３２０に記憶されたプログラムおよびデータに従って所定の処理を実行し、操作部３３０、および、通信部３９０から入力されたデータを処理し、処理したデータを、記憶部３２０に記憶させたり、表示部３４０で表示させたり、通信部３９０から出力させたりする。
【００３５】
記憶部３２０は、制御部３１０でプログラムを実行するために必要な作業領域として用いられるＲＡＭと、制御部３１０で実行するための基本的なプログラムを記憶するためのＲＯＭとを含む。記憶部３２０には、多くの被験者から送られてきた血圧測定データを含むデータベース３２１が設けられている。また、記憶部３２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ）などが用いられてもよい。
【００３６】
操作部３３０は、この例では、キーボードおよびマウスで構成され、ユーザによる操作を示す操作信号を制御部３１０に入力する。また、操作部３３０は、キーボードおよびマウスに替えて、または、加えて、タッチパネルなどの他の操作デバイスで構成されるようにしてもよい。
【００３７】
表示部３４０は、表示画面（例えば、ＬＣＤまたはＥＬディスプレイなど）を含む。表示部３４０は、制御部３１０によって制御されて、所定の映像をディスプレイに表示させる。
【００３８】
ネットワーク通信部３９０は、制御部３１０からの情報をネットワーク９００を介して他の装置（この例では病院端末２００）へ送信するとともに、他の装置からネットワーク９００を介して送信されてきた情報を受信して制御部３１０に受け渡す。
【００３９】
図４に示すように、血圧計４００は、ケーシング４００Ｍと、このケーシング４００Ｍに搭載された、制御部４１０と、メモリ４２０と、操作部４３０と、表示部４４０と、血圧データ取得部としての測定部４５０と、通信部４９０とを含む。
【００４０】
操作部４３０は、操作ボタン・操作キーなどの操作デバイス（図示せず）が操作者によって操作されたことに応じて、操作された内容に応じた操作信号を制御部４１０に入力する。
【００４１】
測定部４５０は、血圧を測定するためのカフ４５１と血圧測定部４５４とを含み、患者から最高血圧（ＳＢＰ）、最低血圧（ＤＢＰ）、脈拍数の測定値を取得する。
【００４２】
メモリ４２０は、血圧計４００を制御するためのプログラムのデータ、血圧計４００の各種機能を設定するための設定データ、および、測定結果のデータなどを記憶する。また、メモリ４２０は、プログラムが実行されるときのワークメモリなどとして用いられる。
【００４３】
制御部４１０は、ＣＰＵを含み、メモリ４２０に記憶された血圧計４００を制御するためのプログラムに従って、操作部４３０からの操作信号に応じて、測定部４５０からの検知信号に基づいて、メモリ４２０、表示部４４０、および、通信部４９０を制御する。この制御部４１０は、操作部４３０によって「測定」指示が入力された時に血圧を測定するモードに加えて、夜間に血圧を自動的に測定するモードを実行することができる。
【００４４】
表示部４４０は、ディスプレイおよびインジケータ等を含み、制御部４１０からの制御信号に従って所定の情報を表示する。
【００４５】
通信部４９０は、制御部４１０によって制御されて所定の情報を、ネットワーク９００を介して外部の装置に送信したり、外部の装置からの情報を、ネットワーク９００を介して受信して制御部４１０に受け渡したりする。このネットワーク９００を介した通信は、無線、有線のいずれでも良い。この実施の形態において、ネットワーク９００は、インターネットであるが、これに限定されず、病院内ＬＡＮ（Local Area Network）のような他の種類のネットワークであってもよいし、ＵＳＢケーブルなどを用いた１対１の通信であってもよい。
【００４６】
このシステム１００は、次のように用いられる。
【００４７】
ｉ）  被験者は、血圧計４００を用いて、日ごとに朝と晩に、また、少なくとも週２回は夜間に自動的に、それぞれ自己の血圧を例えば自宅で測定する。測定が終わると、血圧計４００は、測定された血圧データをその測定日時とともにネットワーク９００を介してサーバ３００に送信する。これにより、朝測定された早朝血圧データと晩測定された晩血圧データと夜間測定された夜間血圧データとを含む血圧データがサーバ３００に送信される。
【００４８】
ここで、「血圧データ」とは、最高血圧である収縮期血圧（ＳＢＰ（Systolic Blood Pressure））、最低血圧である拡張期血圧（ＤＢＰ（Diastolic Blood Pressure））および脈拍数などを広く指す。
【００４９】
この例では、被験者による日ごとの血圧測定は、少なくとも、病院での今回の診察から遡って３回目の診察から前々回の診察までの期間（前々回の診察期間）、前々回の診察から前回の診察までの期間（前回の診察期間）、前回の診察から今回の診察までの期間（今回の診察期間）にわたって、順次行われたものとする。
【００５０】
ｉｉ）  サーバ３００は、サーバ３００の動作状態で、血圧データ取得部として働いて、血圧計４００から上記血圧データを受信する。そして、受信した血圧データをその測定日時とともに記憶部３２０に記憶する。
【００５１】
ｉｉｉ）  病院端末２００の制御部２１０は、病院端末２００の動作状態で、医師が病院端末２００の操作部２３０を操作して、上記被験者（患者）に関する「血圧評価表示」を選択すると、サーバ３００に対して血圧評価結果の取得要求とともに今回の診察日を示す日付データを送信する。
【００５２】
ｉｖ）  サーバ３００の制御部３１０は、図５のステップＳ１０１に示すように、サーバ３００の動作状態で、ネットワーク９００を介して病院端末２００から、上記日付データを含むデータが送られてくるのを待っている。制御部３１０は、ネットワーク９００から通信部３９０を介して、病院端末２００からの上記データを受信すると（ステップＳ１０１でＹＥＳ）、演算部として働いて、記憶されている上記血圧データを予め定められた血圧評価項目について統計処理をする（ステップＳ１０２）。
【００５３】
上記予め定められた血圧評価項目としては、例えば、「血圧値の推移（９０日表示）」、「期間平均値（前回／今回比較）」、「夜間高血圧のタイプ」などがある。
【００５４】
具体的には、「血圧値の推移」について統計処理をする場合、制御部３１０は、今回の診察日から遡った例えば９０日間の、日ごとの朝、晩、夜間それぞれについての、最高血圧（ＳＢＰ）の代表値、最低血圧（ＤＢＰ）の代表値を算出する。この例では、代表値は、被験者がその朝、その晩、その夜間にそれぞれ複数回（例えば２回）測定したときは、その複数回の最高血圧（ＳＢＰ）、最低血圧（ＤＢＰ）のそれぞれの平均値とする。
【００５５】
また、「期間平均値」について統計処理をする場合、制御部３１０は、前回の診察から今回の診察までの期間（今回の診察期間）に測定された被験者の日ごとの朝、晩、夜間それぞれについての血圧値（最高血圧（ＳＢＰ）の代表値、最低血圧（ＤＢＰ）の代表値を指す。以下同様。）の測定日数による平均を、今回の診察期間における期間平均値として算出する。つまり、今回の診察期間について、朝測定された最高血圧（ＳＢＰ）の期間平均値、朝測定された最低血圧（ＤＢＰ）の期間平均値、晩測定された最高血圧（ＳＢＰ）の期間平均値、晩測定された最低血圧（ＤＢＰ）の期間平均値、夜間測定された最高血圧（ＳＢＰ）の期間平均値、夜間測定された最低血圧（ＤＢＰ）の期間平均値を含む、計６つの期間平均値を算出する。
【００５６】
同様に、制御部３１０は、前々回の診察から前回の診察までの期間（前回の診察期間）における日ごとの朝、晩、夜間それぞれについての血圧値の測定日数による平均を、前回の診察期間における期間平均値として算出する。つまり、前回の診察期間について、今回の診察期間におけるのと同様に、計６つの期間平均値を算出する。また、今回の診察から遡って３回目の診察から前々回の診察までの期間（前々回の診察期間）における日ごとの朝、晩、夜間それぞれについての血圧値の測定日数による平均を、前々回の診察期間における期間平均値として算出する。つまり、前々回の診察期間について、計６つの期間平均値を算出する。さらに、血圧計４００によって初めて測定されたときから第１回の診察までの期間（初回の診察期間）における日ごとの朝、晩、夜間それぞれについての血圧値の平均を、初回の診察期間における期間平均値として算出する。つまり、初回の診察期間について、計６つの期間平均値を算出する。
【００５７】
また、「夜間高血圧のタイプ」の評価のためには、「期間平均値」についての統計処理で得られた値を用いる（詳しくは、後述する。）。
【００５８】
次に、制御部３１０は、統計処理がなされた血圧評価項目について、病院端末２００の表示部２４０に表示されるべき画像データ（この画像データについては後述する。）を作成する（図５のステップＳ１０３）。
【００５９】
次に、制御部３１０は、全ての血圧評価項目について上記画像データの作成を完了すると（ステップＳ１０４でＹＥＳ）、作成された画像データをデータベース３２１に記憶する。それとともに、通信部３９０からネットワーク９００を介して、病院端末２００へ送信する（ステップＳ１０５）。
【００６０】
ｖ）  病院端末２００は、図６のフローに示すように、上記画像データをネットワーク９００から通信部２９０を介して受信して（ステップＳ２０１）、メモリ２２０を画像データ記憶部として働かせて記憶する。次に、病院端末２００の制御部２１０は、医師に血圧評価項目の選択を促すための血圧評価項目リスト（次の表１に例示する）を、表示部２４０の表示画面上に表示する（ステップＳ２０２）。
（表１）
2015216970.tif 000003
【００６１】
ここで、医師がこの血圧評価項目リスト中の或る項目を選択（例えばマウスでクリック）するものとする（図６のステップＳ２０３でＹＥＳ）。すると、制御部２１０は、表示制御部として働いて、選択された項目の血圧評価結果に関する画像データ（後述）を、メモリ２２０から読み出して表示部２４０の表示画面上に表示する（図６のステップＳ２０４）。一方、表示部２４０の表示画面上に血圧評価項目リスト（表１）が表示された状態で、一定時間（例えば６０秒間）操作が行われなかったとき（図６のステップＳ２０３でＮＯ）は、節電のために、制御部２１０は画像をオフする（図６のステップＳ２０５）。
【００６２】
（ａ）  血圧値の推移（９０日表示）
上記表１の血圧評価項目リストにおける「血圧値の推移（９０日表示）」の項目は、今回の診察日から遡って９０日間にわたって朝、晩、夜間に測定された最高血圧値（ＳＢＰ）、最低血圧値（ＤＢＰ）（それぞれ既述の代表値を指す。以下同様。）の推移をグラフ表示することを意味している。
【００６３】
この「血圧値の推移（９０日表示）」の項目が選択された場合、病院端末２００の表示部２４０の表示画面２４１上に、例えば図７に示すような画像６０が表示される。
【００６４】
この画像６０では、横方向を日にちとし、縦方向を血圧値（単位：ｍｍＨｇ）として、今回の診察日（この例では１１／１７（１１月１７日））から遡って約９０日間に対応する日ごとの朝、晩の被験者の血圧値が、実線の折れ線グラフ６２Ｓ，６２Ｄと破線の折れ線グラフ６３Ｓ，６３Ｄとして表示されている。折れ線グラフ６２Ｓは、朝に測定されたＳＢＰを示している。折れ線グラフ６２Ｄは、朝に測定されたＤＢＰを示している。折れ線グラフ６３Ｓは、晩に測定されたＳＢＰを示している。折れ線グラフ６３Ｄは、晩に測定されたＤＢＰを示している。
【００６５】
また、この画像６０では、週２回、日ごとに夜間に測定された被験者の血圧値が、棒グラフ６１，６１，…として表示されている。各棒グラフ６１の上端６１ＳはＳＢＰを示している。各棒グラフ６１の下端６１ＤはＤＢＰを示している。
【００６６】
これらの折れ線グラフ６２Ｓ，６２Ｄ，６３Ｓ，６３Ｄ、棒グラフ６１，６１，…は、既述の処理（特に、図５のステップＳ１０２〜Ｓ１０３）によって作成されたものである。
【００６７】
この画像６０を見ることにより、上記医師は、今回の診察日（１１／１７）から遡って約９０日間における上記被験者の血圧値の時間推移を直感的に把握できる。
【００６８】
この画像６０では、上記被験者についての前回の診察日は１０／２４（１０月２４日）であり、前々回の診察日は９／２７（９月２７日）であったことも表示されている。
【００６９】
なお、表１中の「血圧値の推移（６０日表示）」、「血圧値の推移（３０日表示）」の項目が選択されると、９０日表示に代えて、それぞれ図７における横方向の日数を短くしたものに相当する６０日表示、３０日表示が行われる。
【００７０】
（ｂ）  期間平均値（前回／今回比較）
上記表１の血圧評価項目リストにおける「期間平均値（前回／今回比較）」の項目は、今回の診察期間についての晩、夜間、朝に測定された血圧値の期間平均値と、前回の診察期間についての晩、夜間、朝に測定された血圧値の期間平均値とを対比して、グラフ表示することを意味している。
【００７１】
この「期間平均値（前回／今回比較）」の項目が選択された場合、病院端末２００の表示部２４０の表示画面２４１上に、例えば図８に示すような画像７０が表示される。
【００７２】
この画像７０では、横方向を晩の欄７１、夜間の欄７２、朝の欄７３とし、縦方向を血圧値（単位：ｍｍＨｇ）として、各欄７１，７２，７３に、前回、今回の診察期間についての血圧値の期間平均値が、棒グラフ８１Ｂ，８１Ａ；８２Ｂ，８２Ａ；８３Ｂ，８３Ａで並べて表示されている。
【００７３】
具体的には、晩の欄７１には、前回の診察期間についての晩に測定された血圧値の期間平均値が棒グラフ８１Ｂで表示されている（この例では、ＳＢＰの期間平均値が１３５ｍｍＨｇ、ＤＢＰの期間平均値が８４ｍｍＨｇであった。）。また、今回の診察期間についての晩に測定された血圧値の期間平均値が棒グラフ８１Ａで表示されている（この例では、ＳＢＰの期間平均値が１３２ｍｍＨｇ、ＤＢＰの期間平均値が８０ｍｍＨｇであった。）。夜間の欄７２には、前回の診察期間についての夜間に測定された血圧値の期間平均値が棒グラフ８２Ｂで表示されている（この例では、ＳＢＰの期間平均値が１４２ｍｍＨｇ、ＤＢＰの期間平均値が９５ｍｍＨｇであった。）。また、今回の診察期間についての夜間に測定された血圧値の期間平均値が棒グラフ８２Ａで表示されている（この例では、ＳＢＰの期間平均値が１４０ｍｍＨｇ、ＤＢＰの期間平均値が９２ｍｍＨｇであった。）。朝の欄７３には、前回の診察期間についての朝に測定された血圧値の期間平均値が棒グラフ８３Ｂで表示されている（この例では、ＳＢＰの期間平均値が１６０ｍｍＨｇ、ＤＢＰの期間平均値が９９ｍｍＨｇであった。）。また、今回の診察期間についての朝に測定された血圧値の期間平均値が棒グラフ８３Ａで表示されている（この例では、ＳＢＰの期間平均値が１５２ｍｍＨｇ、ＤＢＰの期間平均値が９５ｍｍＨｇであった。）。
【００７４】
これらの棒グラフ８１Ｂ，８１Ａ；８２Ｂ，８２Ａ；８３Ｂ，８３Ａは、既述の処理（特に、図５のステップＳ１０２〜Ｓ１０３）によって作成されたものである。
【００７５】
この画像７０を見ることにより、上記医師は、前回の診察期間と今回の診察期間との間で、上記被験者の晩、夜間、朝のそれぞれの血圧値の期間平均値がどのように変化したのかを、直感的に把握できる。
【００７６】
また、晩の欄７１、朝の欄７３には、ＳＢＰが高血圧であるか否かの基準値１３５ｍｍＨｇを表す境界線８９Ｓと、ＤＢＰが高血圧であるか否かの基準値８５ｍｍＨｇを表す境界線８９Ｄとが表示されている。夜間の欄７２には、ＳＢＰが高血圧であるか否かの基準値１２０ｍｍＨｇを表す境界線８８Ｓと、ＤＢＰが高血圧であるか否かの基準値７０ｍｍＨｇを表す境界線とが表示されている。したがって、上記医師は、前回の診察期間と今回の診察期間で、上記被験者の晩、夜間、朝のそれぞれの血圧値の期間平均値が高血圧であるか否かを、さらに直感的に、かつ正確に把握できる。
【００７７】
また、画像７０の晩の欄７１、夜間の欄７２、朝の欄７３のそれぞれの下部には、前回、今回の診察期間についての脈拍数の期間平均値、測定日数が数値で表示されている。例えば、前回、今回の診察期間についての晩に測定された脈拍数の期間平均値はいずれも５６ｂｐｍである。また、前回、今回の診察期間についての測定日数はいずれも１４日である。これにより、上記医師は、前回、今回の期間平均値が信頼に足りるか否か（信頼度）を確認できる。
【００７８】
なお、表１中の「期間平均値（今回）」の項目の項目が選択されると、前回／今回比較に代えて、今回の診察期間についての晩、夜間、朝のそれぞれの血圧値の期間平均値のみのグラフ表示が行われる。
【００７９】
（ｃ）  夜間高血圧のタイプ
上記表１の血圧評価項目リストにおける「夜間高血圧のタイプ」の項目は、被験者が、夜間高血圧でも早朝高血圧でもない正常タイプと、夜間高血圧であるが早朝高血圧ではない夜間高血圧タイプ（狭義）と、夜間高血圧ではないが早朝高血圧である早朝高血圧タイプと、夜間高血圧でもあり早朝高血圧でもある夜間・早朝高血圧タイプとのうちいずれに分類されるかをグラフ表示することを意味している。
【００８０】
この「夜間高血圧のタイプ」の項目が選択された場合、病院端末２００の表示部２４０の表示画面２４１上に、例えば図９に示すような画像９０Ａが表示される。
【００８１】
この画像９０Ａでは、早朝血圧が横軸９１、夜間血圧が縦軸９２にそれぞれ設定されている。夜間血圧を縦軸９２に設定している理由は、夜間血圧を重視するためである。横軸９１と縦軸９２の単位はそれぞれｍｍＨｇである。これらの横軸９１と縦軸９２とで定められたグラフ領域９３に、或る被験者（Ａとする。）について、朝測定された早朝血圧データと夜間測定された夜間血圧データとによって定まる点Ａ１，Ａ２，Ａ３がグラフ表示されている。
【００８２】
この例では、点Ａ１は、今回の診察期間について、朝測定された最高血圧値（ＳＢＰ）の期間平均値と、夜間測定された最高血圧値（ＳＢＰ）の期間平均値とで定まる点である。また、点Ａ２は、前回の診察期間について、朝測定された最高血圧値（ＳＢＰ）の期間平均値と、夜間測定された最高血圧値（ＳＢＰ）の期間平均値とで定まる点である。また、点Ａ３は、前々回の診察期間について、朝測定された最高血圧値（ＳＢＰ）の期間平均値と、夜間測定された最高血圧値（ＳＢＰ）の期間平均値とで定まる点である。
【００８３】
これらの点Ａ１，Ａ２，Ａ３は、既述の処理（特に、図５のステップＳ１０２〜Ｓ１０３）によって作成されたものである。
【００８４】
この例では、期間毎の点Ａ１，Ａ２，Ａ３が同時にグラフ表示されるとともに、それらの点Ａ１，Ａ２，Ａ３に、それぞれ期間順を表す番号１，２，３が吹き出しで付されて表示されている。グラフ領域９３の下方に、期間順（吹き出しが表す番号１，２，３）の意味について注記されている。なお、吹き出しが白抜き（白地）であることは、各期間の測定日数が５日未満であったことを表している。期間順を表すのは、番号に限らず、文字、記号、その他の符号であってもよい。
【００８５】
また、この例では、表示画面２４１上に、早朝高血圧であるか否かの基準値１３５ｍｍＨｇを表す第１の基準線９４と、夜間高血圧であるか否かの基準値１２０ｍｍＨｇを表す第２の基準線９５とがグラフ表示されている。これにより、グラフ領域９３が、夜間には高血圧を示すが早朝には高血圧を示さない夜間高血圧タイプに応じた部分領域９３Ｂと、夜間には高血圧を示さないが早朝には高血圧を示す早朝高血圧タイプに応じた部分領域９３Ｃと、夜間にも早朝にも高血圧を示す夜間・早朝高血圧タイプに応じた部分領域９３Ｄと、夜間にも早朝にも高血圧を示さない正常タイプに応じた部分領域９３Ａとの、４つの部分領域に区画されている。各点Ａ１，Ａ２，Ａ３がグラフ領域９３のうちどの区画領域９３Ｂ，９３Ｃ，９３Ｄ，９３Ａに入るかに応じて、被験者が夜間高血圧（広義）に関してどのタイプに属する（若しくは「属していた」。以下同様。）か、または正常であるかが表される。
【００８６】
したがって、上記医師は、この画像９０Ａを見ることによって、この被験者Ａが夜間高血圧（広義）に関してどのタイプに属するか、すなわち、夜間高血圧タイプ（狭義）、早朝高血圧（モーニングサージ）タイプ、夜間・早朝高血圧タイプ、正常タイプのいずれに属するかを、直感的に、かつ正確に把握することができる。したがって、上記医師は、被験者のタイプに応じた治療方針を迅速に立てることが可能になる。
【００８７】
具体的には、被験者Ａは、前々回の診察期間と前回の診察期間には、点Ａ３，Ａ２が示すように夜間・早朝高血圧タイプであった。これまでの治療が早朝高血圧に対して奏功したため、今回の診察期間では、早朝には高血圧を示さなくなって、点Ａ１が示すように夜間高血圧タイプ（狭義）になっている。したがって、上記医師は、今後の治療方針として、夜間高血圧（狭義）に対する治療を進めるべきであると、容易に判断できる。
【００８８】
図１０は、別の被験者（Ｂとする。）について「夜間高血圧のタイプ」の項目が選択された場合に、病院端末２００の表示部２４０の表示画面２４１上に表示される画像９０Ｂを例示している。なお、図１０では、図９中の要素と同一の要素には同一の符号を付して、重複する説明を省略する（図１１，１２において同様。）。
【００８９】
この被験者Ｂは、前々回の診察期間と前回の診察期間には、点Ｂ３，Ｂ２が示すように夜間・早朝高血圧タイプであった。これまでの治療が夜間高血圧に対して奏功したため、今回の診察期間では、夜間には高血圧を示さなくなって、点Ｂ１が示すように早朝高血圧（モーニングサージ）タイプになっている。したがって、上記医師は、今後の治療方針として、早朝高血圧（モーニングサージ）に対する治療を進めるべきであると、容易に判断できる。
【００９０】
図１１は、別の被験者（Ｃとする。）について「夜間高血圧のタイプ」の項目が選択された場合に、病院端末２００の表示部２４０の表示画面２４１上に表示される画像９０Ｃを例示している。
【００９１】
この被験者Ｃは、前々回の診察期間と前回の診察期間には、点Ｃ３，Ｃ２が示すように夜間・早朝高血圧タイプであった。今回の診察期間でも、点Ｃ１が示すように依然として夜間・早朝高血圧タイプである。しかし、被験者Ｃの症状（血圧状態）は期間毎に次第に改善されており、正常領域９３Ａに近づいている。したがって、上記医師は、今後の治療方針として、これまでの治療を継続すべきであると、容易に判断できる。
【００９２】
図１２は、別の被験者（Ｄとする。）について「夜間高血圧のタイプ」の項目が選択された場合に、病院端末２００の表示部２４０の表示画面２４１上に表示される画像９０Ｄを例示している。なお、図１２中の点Ｄ４は、初回の診察段階で測定された早朝血圧データと夜間血圧データとで定まる点を示している。この点Ｄ４には、初回の診察段階の点であることを表すように、「初」という吹き出しが付されている。
【００９３】
この被験者Ｄは、初回の診察段階、前々回の診察期間、前回の診察期間には、点Ｄ４，Ｄ３，Ｄ２が示すように夜間・早朝高血圧タイプであった。これまでの治療が夜間・早朝高血圧に対して奏功したため、今回の診察期間では、点Ｄ１が示すように正常タイプになっている。したがって、上記医師は、今後の治療方針として、これまでの治療を継続するか、または、より薬効が穏やかな薬に切り替えるなど、容易に判断できる。
【００９４】
このように、図９〜図１２の画像９０Ａ〜９０Ｄによれば、上記医師は、被験者が夜間高血圧（広義）に関してどのタイプに属するかを、直感的に、かつ正確に把握できる。しかも、グラフ領域９３に表示される点に期間順を表す符号（番号）が付されているので、被験者の血圧状態（症状）の期間毎の推移に応じてこれまでの治療の効果を迅速に評価でき、その評価に基づいて今後の治療方針を適切に立てることが容易になる。
【００９５】
なお、病院端末２００の表示部２４０の表示画面２４１上に、或る被験者（例えばＡとする。）について、図７に示した画像６０と、図８に示した画像７０と、図９に示した画像９０Ａとを併せて表示するのが望ましい。これにより、上記医師は、図９に示した画像９０Ａに基づいて被験者Ａが夜間高血圧（広義）に関してどのタイプに属するかを直感的に把握できるとともに、その裏付けとなる血圧データ（図７に示した画像６０、図８に示した画像７０）を同じ画面上で確認することができる。
【００９６】
（変形例１）
この実施形態では、サーバ３００が画像データを作成し、病院端末２００の表示部２４０が画像を表示したが、これに限られるものではない。サーバ３００の制御部３１０は、画像データを病院端末２００へ送信する代わりに、画像作成のためのデータのみを送信し、病院端末２００の制御部２１０が専ら画像を作成しても良い。
【００９７】
（変形例２）
また、この実施形態では、本発明の血圧関連情報表示装置を、病院端末２００と、サーバ３００と、血圧計４００とを含むネットワーク上のシステム１００として構成したが、これに限られるものではない。
【００９８】
例えば、本発明の血圧関連情報表示装置を、血圧計４００と病院端末２００のみで構成しても良い。つまり、病院端末２００の制御部２１０、メモリ２２０、操作部２３０、表示部２４０、通信部２９０が、それぞれそれらの機能に加えて、サーバ３００の制御部３１０、記憶部３２０、操作部３３０、表示部３４０、ネットワーク通信部３９０の機能を果たすものとする。この場合、病院端末２００のメモリ２２０には、制御部２１０に、次のような、被験者の血圧に関連する情報を表示画面に表示する方法を実行させるプログラムをインストールする。これにより、本発明の血圧関連情報表示装置を小型かつコンパクトに構成することができる。
【００９９】
その方法は、大別して、図１３に示すように３つのステップを有する。
【０１００】
図１３の第１ステップＳ３０１では、血圧計４００によって測定された被験者の血圧データを取得する。
【０１０１】
第２ステップＳ３０２では、上記被験者の血圧の状態を評価するための予め定められた上記血圧評価項目について、或る期間にわたって日ごとに測定され、上記第１ステップＳ３０１によって取得された上記血圧データに統計処理を施して、血圧評価結果を演算する。この第２ステップＳ３０２は、図５中のステップＳ１０２に相当する。
【０１０２】
第３ステップＳ３０３では、表示画面上に、血圧評価項目リストを表示して、その血圧評価項目リスト中で選択された血圧評価項目に関する画像データを表示する。この第３ステップＳ３０３は、図６中のステップＳ２０２〜Ｓ２０４に相当する。
【０１０３】
このプログラムは、アプリケーションソフトウェアとして、ＣＤ、ＤＶＤ、フラッシュメモリなどの記録媒体に記録することができる。この記録媒体に記録されたアプリケーションソフトウェアを、病院端末、パーソナルコンピュータ、ＰＤＡ（パーソナル・デジタル・アシスタンツ）、スマートフォンなどの実質的なコンピュータ装置にインストールすることによって、それらのコンピュータ装置に、被験者の血圧に関連する情報を表示画面に表示する方法を実行させることができる。
【０１０４】
（変形例３）
なお、このような病院端末（サーバ３００の機能を組み込んだもの）に、さらに血圧計４００の測定部４５０を組み込むことにより、本発明の血圧関連情報表示装置を、実質的に病院端末のみで構成しても良い。
【符号の説明】
【０１０５】
１００  システム
２００  病院端末
２４０  表示部
３００  サーバ
４００  血圧計
【図１】
2015216970.tif 000004
【図２】
2015216970.tif 000005
【図３】
2015216970.tif 000006
【図４】
2015216970.tif 000007
【図５】
2015216970.tif 000008
【図６】
2015216970.tif 000009
【図７】
2015216970.tif 000010
【図８】
2015216970.tif 000011
【図９】
2015216970.tif 000012
【図１０】
2015216970.tif 000013
【図１１】
2015216970.tif 000014
【図１２】
2015216970.tif 000015
【図１３】
2015216970.tif 000016